(57)【要約】【課題】販売時に防除対象の害虫を容易に確認可能でありながら、室内での保管時に消費者の好みや室内空間の雰囲気に合わせて製品のデザインを選択可能な容器入り製品を提供する。【解決手段】容器に害虫防除製剤を封入した容器入り製品１００であって、製品表示情報１１が印刷された容器本体１０と、容器本体１０を被覆し、製品使用時に除去可能なフィルム２０とを備え、フィルム２０には、防除対象の害虫を意図する又は想起させる害虫関連情報を含む広告情報２１が印刷されており、容器本体１０には、害虫関連情報が印刷されていない、又はフィルム２０における害虫関連情報より視認性を抑えた害虫関連情報が印刷されている。【選択図】図２
2020075760.tif 000002
【特許請求の範囲】
【請求項１】
容器に害虫防除製剤を封入した容器入り製品であって、
製品表示情報が印刷された容器本体と、
前記容器本体を被覆し、製品使用時に除去可能な包材と、
を備え、
前記包材には、防除対象の害虫を意図する又は想起させる害虫関連情報を含む広告情報が印刷されており、
前記容器本体には、前記害虫関連情報が印刷されていない、又は前記包材における前記害虫関連情報より視認性を抑えた害虫関連情報が印刷されている容器入り製品。
【請求項２】
前記害虫関連情報は、害虫の図柄、及び／又は害虫を示す文字情報を含む請求項１に記載の容器入り製品。
【請求項３】
前記容器本体を前記包材で被覆したとき、前記容器本体の製品表示情報が隠れる場合でも同じ情報を確認できるように、前記包材にも前記製品表示情報が印刷されている請求項１又は２に記載の容器入り製品。
【請求項４】
前記包材は、フィルム、ブリスターパック、小函、及びシールからなる群から選択される一つである請求項１〜３の何れか一項に記載の容器入り製品。
【請求項５】
前記容器本体において、前記製品表示情報が印刷されていない領域に、前記包材における前記害虫関連情報より視認性を抑えた害虫関連情報、模様、及び文字からなる群から選択される少なくとも一つを含む図柄等表示情報が印刷されている請求項１〜４の何れか一項に記載の容器入り製品。
【請求項６】
前記包材における前記害虫関連情報より視認性を抑えた害虫関連情報は、前記包材における前記害虫関連情報より小さいサイズの害虫関連情報、又は前記包材における前記害虫関連情報より明度及び／又は彩度が小さい色調の害虫関連情報である請求項１〜５の何れか一項に記載の容器入り製品。
【請求項７】
請求項１〜６の何れか一項に記載の容器入り製品の防除対象の確認を支援するための拡張現実表示システムであって、
前記容器本体には、ビジョンベース拡張現実表示において付加情報の提示を指示する拡張現実表示用マーカーが印刷されており、
前記拡張現実表示用マーカーと、前記包材における前記害虫関連情報の画像とを対応付けて格納する格納手段と、
前記包材が除去された前記容器本体が撮影された撮影画像を取得する取得手段と、
前記撮影画像から前記拡張現実表示用マーカーを抽出する抽出手段と、
抽出された前記拡張現実表示用マーカーに対応する前記害虫関連情報の画像を、前記格納手段から取得し、当該害虫関連情報の画像を前記撮影画像に合成した合成画像を生成する合成手段と、
前記合成画像を表示する表示手段と
を備える拡張現実表示システム。
【発明の詳細な説明】
【技術分野】
【０００１】
本発明は、容器に害虫防除製剤を封入した容器入り製品に関する。また、本発明は、容器入り製品の防除対象の確認を支援するための拡張現実表示システムに関する。
【背景技術】
【０００２】
エアゾール製品、スプレー製品、ボトル製品、缶製品などの容器入り製品は、スーパーマーケットやドラッグストア等の店頭では、消費者の注目を惹くように派手で目立つデザインとすることが望ましい場合がある。それと同時に、容器入り製品には、成分、使用方法、使用上の注意などの必要な情報を常に表示しておく必要がある。
【０００３】
従来の容器入り製品として、表面がシュリンクフィルムで覆われた缶があった（例えば、特許文献１を参照）。特許文献１に記載されている缶は、その表面に色や絵柄が付されているものであるが、開封前は缶表面がシュリンクフィルムで覆われているため、色や絵柄は隠れて見えないようになっている。そして、使用者がシュリンクフィルムを破ると、缶表面の色や絵柄が露出する。
【先行技術文献】
【特許文献】
【０００４】
【特許文献１】特開平３−１７６３６０号公報
【発明の概要】
【発明が解決しようとする課題】
【０００５】
容器に害虫防除製剤を封入した容器入り製品には、ゴキブリ類、蚊類、及びハエ類などの様々な種類の害虫を防除対象とした製品があるため、販売時には消費者が防除対象の害虫を容易に確認できるデザインであること望まれる。
【０００６】
この点に関し、特許文献１の包装缶は、大部分が不透明なシュリンクフィルムで缶を覆うことにより、缶に付されている色や絵柄の露出を避けるものであるが、容器入り製品において、販売時に防除対象の害虫を容易に確認できるよう考慮されたものではなかった。
【０００７】
また、容器入り製品は、室内で使用されることが多いため、室内空間に置いたときに違和感のないデザインが好まれる傾向があり、防除対象の害虫を強く想起させるデザインが敬遠される場面もある。
【０００８】
本発明は、上記問題点に鑑みてなされたものであり、販売時に防除対象の害虫を容易に確認可能でありながら、室内での保管時に消費者の好みや室内空間の雰囲気に合わせて製品のデザインを選択可能な容器入り製品、及び容器入り製品が防除対象とする害虫の確認を支援するための拡張現実表示システムを提供することを目的とする。
【課題を解決するための手段】
【０００９】
上記課題を解決するための本発明に係る容器入り製品の特徴構成は、
容器に害虫防除製剤を封入した容器入り製品であって、
製品表示情報が印刷された容器本体と、
前記容器本体を被覆し、製品使用時に除去可能な包材と、
を備え、
前記包材には、防除対象の害虫を意図する又は想起させる害虫関連情報を含む広告情報が印刷されており、
前記容器本体には、前記害虫関連情報が印刷されていない、又は前記包材における前記害虫関連情報より視認性を抑えた害虫関連情報が印刷されていることにある。
【００１０】
本構成の容器入り製品によれば、製品の販売時においては、包材に印刷されている害虫関連情報により防除対象の害虫を容易に確認することができるため、消費者に商品購入のための判断材料を提供することができる。一方、室内での製品の保管時においては、消費者は、好みや室内空間の雰囲気に応じて包材を除去することで容器のデザインを選択することができる。その際、容器本体には、害虫関連情報が印刷されていない、又は包材における害虫関連情報より視認性を抑えた害虫関連情報が印刷されているため、包材を除去した容器本体を室内空間に置いたときに、消費者に防除対象の害虫を強く想起させることを防ぐことができる。
【００１１】
本発明に係る容器入り製品において、
前記害虫関連情報は、害虫の図柄、及び／又は害虫を示す文字情報を含むことが好ましい。
【００１２】
本構成の容器入り製品によれば、害虫関連情報が、害虫の図柄や、害虫を示す文字情報を含むため、これらが印刷されている包材により防除対象の害虫を確実に確認することができる。
【００１３】
本発明に係る容器入り製品において、
前記容器本体を前記包材で被覆したとき、前記容器本体の製品表示情報が隠れる場合でも同じ情報を確認できるように、前記包材にも前記製品表示情報が印刷されていることが好ましい。
【００１４】
本構成の容器入り製品によれば、包材に製品表示情報が印刷されているため、製品の販売時においては、容器本体の全体が包材で覆われていても、製品表示情報についても視認することができる。一方、室内での製品の保管時においては、消費者が好みや室内空間の雰囲気に応じて包材を除去した場合にも、製品表示情報は、容器本体側にも印刷されているため、包材の除去とともに消失することがなく、常に表示しておくことができる。
【００１５】
本発明に係る容器入り製品において、
前記包材は、フィルム、ブリスターパック、小函、及びシールからなる群から選択される一つであることが好ましい。
【００１６】
本構成の容器入り製品によれば、フィルム、ブリスターパック、小函、又はシールを包材として用いた製品の販売時に、包材に印刷されている害虫関連情報により防除対象の害虫を容易に確認することができる。
【００１７】
本発明に係る容器入り製品において、
前記容器本体において、前記製品表示情報が印刷されていない領域に、前記包材における前記害虫関連情報より視認性を抑えた害虫関連情報、模様、及び文字からなる群から選択される少なくとも一つを含む図柄等表示情報が印刷されていることが好ましい。
【００１８】
本構成の容器入り製品によれば、容器本体に図柄等表示情報が印刷されていれば、包材を除去したときに図柄等表示情報が露出し、製品のデザイン性を高めることができる。
【００１９】
本発明に係る容器入り製品において、
前記包材における前記害虫関連情報より視認性を抑えた害虫関連情報は、前記包材における前記害虫関連情報より小さいサイズの害虫関連情報、又は前記包材における前記害虫関連情報より明度及び／又は彩度が小さい色調の害虫関連情報であることが好ましい。
【００２０】
本構成の容器入り製品によれば、容器本体に印刷された害虫関連情報の視認性を適度に抑えられるため、容器本体を室内空間に置いたときに、消費者に防除対象の害虫を強く想起させることを防ぎつつ、必要に応じて容器本体に印刷された害虫関連情報を注視することで、防除対象の害虫を確認することができる。
【００２１】
上記課題を解決するための本発明に係る拡張現実表示システムの特徴構成は、
前記の何れか一つに記載の容器入り製品の防除対象の確認を支援するための拡張現実表示システムであって、
前記容器本体には、ビジョンベース拡張現実表示において付加情報の提示を指示する拡張現実表示用マーカーが印刷されており、
前記拡張現実表示用マーカーと、前記包材における前記害虫関連情報の画像とを対応付けて格納する格納手段と、
前記包材が除去された前記容器本体が撮影された撮影画像を取得する取得手段と、
前記撮影画像から前記拡張現実表示用マーカーを抽出する抽出手段と、
抽出された前記拡張現実表示用マーカーに対応する前記害虫関連情報の画像を、前記格納手段から取得し、当該害虫関連情報の画像を前記撮影画像に合成した合成画像を生成する合成手段と、
前記合成画像を表示する表示手段と
を備えることにある。
【００２２】
前記の何れか一つに記載の容器入り製品は、室内での製品の保管時においては、容器本体に害虫関連情報が印刷されていない、又は包材における害虫関連情報より視認性を抑えた害虫関連情報が印刷されているため、包材を除去した容器本体を室内空間に置いたときに、消費者に防除対象の害虫を強く想起させることを防ぐことができるが、その一方で、容器本体のデザインから防除対象となる害虫を容易に確認することができるものではない。しかしながら、購入後の製品の保管時には、防除対象の害虫が異なる複数の容器入り製品が並べて保管されることも多く、このような場面では、包材を除去した容器本体においても、防除対象の害虫が容易に確認できることが求められる。本構成の拡張現実表示システムによれば、容器本体を撮影した撮影画像に、包材に印刷されている害虫関連情報を合成した合成画像を表示することができる。そのため、室内での製品の保管時に、包材を除去し、害虫関連情報が印刷されていない、又は包材における害虫関連情報より視認性を抑えた害虫関連情報が印刷されている容器本体を室内空間に置いたときにも、拡張現実表示システムによって、害虫関連情報を合成した合成画像を確認することにより、製品が防除対象とする害虫を容易に確認することができる。
【図面の簡単な説明】
【００２３】
【図１】図１は、本発明の第一実施形態に係る容器入り製品の斜視図である。
【図２】図２は、図１に示した容器入り製品の側面の分解展開図である。
【図３】図３は、本発明の第二実施形態に係る容器入り製品の斜視図である。
【図４】図４は、図３に示した容器入り製品の側面の分解展開図である。
【図５】図５は、本発明の第三実施形態に係る容器入り製品の斜視図である。
【図６】図６は、図５に示した容器入り製品の側面の分解展開図である。
【図７】図７は、本発明の第四実施形態に係る容器入り製品の斜視図である。
【図８】図８は、本発明の第五実施形態に係る容器入り製品の斜視図である。
【図９】図９は、図８に示した容器入り製品の側面の分解展開図である。
【図１０】図１０は、構成例１に係る殺虫エアゾール製品の側面の分解展開図である。
【図１１】図１１は、構成例２に係る殺虫エアゾール製品の側面の分解展開図である。
【図１２】図１２は、構成例３に係る殺虫エアゾール製品の側面の分解展開図である。
【図１３】図１３は、本発明に係る拡張現実表示システムの説明図である。
【図１４】図１４は、拡張現実表示システムにおける画像生成の説明図である。
【発明を実施するための形態】
【００２４】
以下、本発明の容器入り製品、及び拡張現実表示システムに関する実施形態について説明する。ただし、本発明は、以下に説明する実施形態や図面に記載される構成に限定されることを意図しない。
【００２５】
＜容器入り製品＞
［第一実施形態］
図１は、本発明の第一実施形態に係る容器入り製品の斜視図である。図２は、図１に示した容器入り製品の側面の分解展開図である。第一実施形態に係る容器入り製品は、例えば、エアゾール製品、スプレー製品、ボトル製品、缶製品などが挙げられるが、図１では、容器入り製品として、ゴキブリ用の殺虫エアゾール製品１００を例示している。殺虫エアゾール製品１００は、その内部に封入された殺虫剤、防虫剤、及び忌避剤等の製剤を噴射剤とともに害虫に向けて噴射することで害虫を殺虫するものであり、容器本体であるエアゾール缶１０と、エアゾール缶１０の表面を被覆する包材であるフィルム２０とを備える。
【００２６】
殺虫エアゾール製品１００には、防除対処の害虫を意図する又は想起させる害虫関連情報が、エアゾール缶１０に印刷されておらず、フィルム２０にのみ印刷されている。ここで、害虫関連情報は、害虫の図柄、又は害虫を示す文字情報を含むものであればよく、本実施形態では、一例として、防除対処であるゴキブリの図柄を害虫関連情報として用いる。害虫関連情報となる害虫を示す文字情報としては、「ゴキブリ」といった害虫の名称の全て示すものに限らず、例えば、「ゴキ」といった害虫の名称の特徴的な一部分を示すものであってもよい。
【００２７】
〔容器本体〕
容器本体であるエアゾール缶１０は、製剤が貯留される貯留部としての耐圧容器１０ａと、製剤を放出する放出部としての噴射ボタン１０ｂとを備える。図２に示すように、エアゾール缶１０（耐圧容器１０ａ）には、ゴキブリの図柄が印刷されておらず、製品表示情報１１が印刷されている。製品表示情報１１とは、商品名、当該製品の特長、成分、効能、使用方法、使用上の注意、製造者情報、製品識別情報（バーコード、ＱＲコード（登録商標）等）などの情報である。製品表示情報１１は、当該製品の購入者が必要とする情報であるため、常に視認可能な状態とされている。製品表示情報１１は、図２に示すように、エアゾール缶１０の高さ方向に延伸する垂線Ｙに沿うように印刷されていることが好ましい。これは、後述するフィルム２０の位置合わせを容易にするためである。
【００２８】
エアゾール缶１０において、製品表示情報１１が印刷されていない領域には図柄等表示情報１２が印刷されている。図柄等表示情報１２には、主に図柄や模様に関する情報（本実施形態の場合、ジグザグ状の幾何学模様）が含まれているが、図柄や模様以外に文字などの情報（本実施形態の場合、製造者情報）が含まれていてもよい。図柄等表示情報１２は、室内空間の雰囲気を乱さないように落ち着いたデザインに構成されることが好ましい。
【００２９】
図柄等表示情報１２の少なくとも一部は、マーカー型のビジョンベース拡張現実表示において付加情報の提示を指示する拡張現実表示用マーカーとして用いられる。例えば、図柄等表示情報１２の全体や、図柄等表示情報１２に含まれるジグザグ状の幾何学模様における折れ角などを拡張現実表示用マーカーとして用いることができる。また、正方形の黒枠で囲まれたパターン化図形などを含むように図柄等表示情報１２を構成し、このパターン化図形を拡張現実表示用マーカーとして用いることも可能である。パターン化図形は、点対称図形を避けることで、拡張現実表示用マーカーからの距離、方向等により付加情報の提示位置を指定することも可能である。エアゾール缶１０に印刷された図柄等表示情報１２の少なくとも一部を拡張現実表示用マーカーとして用いることで、殺虫エアゾール製品１００は、フィルム２０を除去した場合にも、後述する本発明の拡張現実表示システムにおいて、製品に応じた拡張現実表示を利用することが可能となる。
【００３０】
〔フィルム〕
フィルム２０は、エアゾール缶１０を被覆し製品使用時に除去可能な包材であり、例えば、エアゾール缶１０に被せた状態で加熱すると、フィルム全体が収縮してエアゾール缶１０の表面に密着するシュリンクフィルムを使用することができる。フィルム２０の素材としては、ポリスチレン（ＰＳ）、ポリ塩化ビニル（ＰＶＣ）、ポリエチレン（ＰＥ）、ポリエチレンテレフタレート（ＰＥＴ）、ポリプロピレン（ＰＰ）などの熱可塑性樹脂が用いられる。なお、フィルム２０は、加熱によって収縮させることでエアゾール缶１０の表面に密着させる代わりに、粘着剤又は再剥離性粘着剤を用いてエアゾール缶１０の表面に貼り付ける、所謂、シールとして構成することも可能である。
【００３１】
図２に示すように、フィルム２０には、害虫関連情報であるゴキブリの図柄、及び「ゴキブリスプレー」の文字を含む広告情報２１が印刷されている。広告情報２１とは、当該製品の販売時に消費者の注目を惹かせるための情報であり、害虫関連情報であるゴキブリの図柄や「ゴキブリスプレー」の文字の他に、商品名、図柄、模様などの情報が含まれる。広告情報２１には、これらの情報の他に、エアゾール缶１０に印刷されている製品表示情報１１と同じ情報（すなわち、商品名、製品の特長、成分、効能、使用方法、使用上の注意、製造者情報、製品識別情報など）が含まれていてもよい。なお、フィルム２０の広告情報２１が印刷されている領域は、図柄や模様等が全体に印刷されている場合は不透明となるが、当該領域の一部に印刷を行うことで透明ないし半透明の領域を残しておくことも可能である。なお、広告情報２１は、必ずしもフィルム２０に直接印刷する必要はなく、例えば、広告情報２１をラベルに印刷して、このラベルをフィルム２０に貼り付けてもよい。このような広告情報２１の印刷物を包材に貼り付ける形態は、広告情報２１の間接的な印刷と見なすことが可能であり、本発明においては、包材への広告情報２１の印刷の一形態として包含する。
【００３２】
フィルム２０において、広告情報２１が印刷されていない領域は、透明ないし半透明な透過領域２２として形成されている。透過領域２２は、エアゾール缶１０の表面がフィルム２０で被覆されている状態で、当該フィルム２０を通してエアゾール缶１０側に印刷されている製品表示情報１１を視認できる位置に設けられる。このような形態でフィルム２０に透過領域２２を設ければ、エアゾール缶１０の製品表示情報１１を確実に視認することができる。また、製品の販売時においては、フィルム２０に印刷されている広告情報２１により消費者の注目を惹くことができるとともに、広告情報２１に含まれるゴキブリの図柄、及び「ゴキブリスプレー」の文字により防除対象となる害虫を容易に確認することができるため、消費者に商品購入のための判断材料を提供することができる。一方、製品の使用時及び室内での製品の保管時においては、消費者は、好みや室内空間の雰囲気に応じてフィルム２０を剥離することで、殺虫エアゾール製品１００のデザインを選択することができる。その際、容器本体であるエアゾール缶１０には、ゴキブリの図柄、及び「ゴキブリスプレー」の文字が印刷されていないため、フィルム２０を除去したエアゾール缶１０を室内空間に置いたときに、消費者に防除対象の害虫を強く想起させることを防ぐことができる。また、製品表示情報１１はエアゾール缶１０側に印刷されているため、フィルム２０の剥離とともに消失することがなく、常に表示された状態となっている。
【００３３】
フィルム２０の透過領域２２は、エアゾール缶１０の製品表示情報１１が印刷されている領域よりも大きく構成することも可能である。例えば、図２において、フィルム２０の透過領域２２の幅Ｄ１を、エアゾール缶１０の製品表示情報１１の幅Ｄ２より若干大きく構成すると、エアゾール缶１０をフィルム２０で被覆するときに多少の位置ずれが生じても、エアゾール缶１０側の製品表示情報１１をフィルム２０の透過領域２２を介して確実に視認することができる。
【００３４】
［第二実施形態］
図３は、本発明の第二実施形態に係る容器入り製品１０１の斜視図である。図４は、図３に示した容器入り製品１０１の側面の分解展開図である。この第二実施形態においても、容器入り製品１０１として、耐圧容器１０ａと噴射ボタン１０ｂとを備えた容器本体としてのエアゾール缶１０と、エアゾール缶１０の表面を被覆する包材としてのフィルム２０とを備えたゴキブリ用の殺虫エアゾール製品１０１を例示している。
【００３５】
〔容器本体〕
第二実施形態において、図３及び図４に示す容器本体としてのエアゾール缶１０は、第一実施形態で説明した図１及び図２に示すエアゾール缶１０と同様の構成を有する。従って、容器本体に関する詳細な説明は省略する。
【００３６】
〔フィルム〕
第二実施形態において、包材としてのフィルム２０の特性及び素材は、第一実施形態で説明したフィルム２０と同様であるため、特性及び素材に関する詳細な説明は省略する。
【００３７】
図４に示すように、フィルム２０には、広告情報２１及び製品表示情報２３が印刷されている。広告情報２１は、第一実施形態で説明したものと同様である。製品表示情報２３は、エアゾール缶１０に印刷されている製品表示情報１１と同様である。このように、第二実施形態では、一枚のフィルム２０に広告情報２１と製品表示情報２３とが印刷されているため、製品の販売時にエアゾール缶１０の全体がフィルム２０で覆われていても、広告情報２１により消費者の注目を惹くことができるとともに、製品表示情報２３についても視認することができる。製品の使用時及び購入後の製品の保管時においては、消費者は、好みや室内空間の雰囲気に応じてフィルム２０を剥離することでエアゾール缶１０のデザインを選択することができる。その際、製品表示情報２３と同じ製品表示情報１１がエアゾール缶１０側にも印刷されているため、フィルム２０の剥離とともに消失することがなく、常に表示しておくことができる。
【００３８】
［第三実施形態］
図５は、本発明の第三実施形態に係る容器入り製品１０２の斜視図である。図６は、図５に示した容器入り製品の側面の分解展開図である。第三実施形態では、容器入り製品１０２として、耐圧容器１０ａと噴射ボタン１０ｂとを備えた容器本体としてのエアゾール缶１０と、エアゾール缶１０の表面を被覆する包材としてのブリスターパック３０とを備えた蚊用の殺虫エアゾール製品１０２を例示している。
【００３９】
〔容器本体〕
第三実施形態において、図５及び図６に示す容器本体としてのエアゾール缶１０は、第一実施形態で説明した図１及び図２に示すエアゾール缶１０と同様の構成を有する。従って、容器本体に関する詳細な説明は省略する。
【００４０】
〔ブリスターパック〕
包材としてのブリスターパック３０は、台紙部３１と、台紙部３１に接着されたカバー部３２とを有する。カバー部３２にはバキュームフォーム等により成形されたポケット部３２ａが設けられており、ポケット部３２ａにエアゾール缶１０を収容することで、ブリスターパック３０は、台紙部３１とカバー部３２とによってエアゾール缶１０を被覆する。台紙部３１の素材としては、ポリエチレンテレフタレート（ＰＥＴ）、ポリスチレン（ＰＳ）、ポリ塩化ビニル（ＰＶＣ）、厚紙などが用いられる。カバー部３２の素材としては、ポリエチレンテレフタレート（ＰＥＴ）、ポリスチレン（ＰＳ）、ポリ塩化ビニル（ＰＶＣ）などが用いられる。
【００４１】
第三実施形態では、害虫関連情報として害虫の図柄、及び害虫を示す文字情報が用いられており、図６に示すように、ブリスターパック３０のポケット部３２ａには、防除対処の害虫である蚊の図柄と「蚊スプレー」の文字とを含む広告情報３３が印刷されている。広告情報３３は、第一実施形態で説明した広告情報２１と同様である。広告情報３３には、エアゾール缶１０に印刷されている製品表示情報１１と同じ情報（すなわち、商品名、製品の特長、成分、効能、使用方法、使用上の注意、製造者情報、製品識別情報など）が含まれていてもよい。なお、ブリスターパック３０の広告情報３３が印刷されている領域は、図柄や模様等が全体に印刷されている場合は不透明となるが、当該領域の一部に印刷を行うことで透明ないし半透明の領域を残しておくことも可能である。ポケット部３２ａにおいて、広告情報３３が印刷されていない領域は、透明ないし半透明な透過領域３４として形成されている。
【００４２】
このように、第三実施形態では、ブリスターパック３０に蚊の図柄、及び「蚊スプレー」の文字を含む広告情報３３が印刷されているため、製品の販売時においては、ブリスターパック３０に印刷されている広告情報３３により消費者の注目を惹くことができるとともに、防除対象となる害虫を容易に確認することができる。購入後の製品の保管時においては、消費者は、好みや室内空間の雰囲気に応じてブリスターパック３０を除去することで、殺虫エアゾール製品１０２のデザインを選択することができる。その際、容器本体であるエアゾール缶１０には、害虫の図柄、及び害虫を示す文字情報が印刷されていないため、ブリスターパック３０を除去したエアゾール缶１０を室内空間に置いたときに、消費者に防除対象の害虫を強く想起させることを防ぐことができる。また、製品表示情報１１はエアゾール缶１０側に印刷されているため、ブリスターパック３０の除去とともに消失することがなく、常に表示された状態となっている。製品の使用時においては、消費者はブリスターパック３０を除去し、害虫の図柄、及び害虫を示す文字情報が印刷されていないエアゾール缶１０を取り扱うことになるため、消費者に防除対象の害虫を強く想起させることを防ぐことができる。
【００４３】
［第四実施形態］
図７は、本発明の第四実施形態に係る容器入り製品１０３の斜視図である。第四実施形態では、容器入り製品１０３として、耐圧容器１０ａと噴射ボタン１０ｂとを備えた容器本体としてのエアゾール缶１０と、エアゾール缶１０の表面を被覆する包材としての小函４０とを備えた蚊用の殺虫エアゾール製品１０３を例示している。
【００４４】
〔容器本体〕
第四実施形態において、図７に示す容器本体としてのエアゾール缶１０は、第一実施形態で説明した図１及び図２に示すエアゾール缶１０と同様の構成を有する。従って、容器本体に関する詳細な説明は省略する。
【００４５】
〔小函〕
包材としての小函４０は、内部にエアゾール缶１０を収容することでエアゾール缶１０を被覆する。小函４０の素材としては、厚紙などが用いられる。
【００４６】
第四実施形態では、害虫関連情報として害虫の図柄、及び害虫を示す文字情報が用いられており、小函４０には、防除対処の害虫である蚊の図柄と「蚊スプレー」の文字とを含む広告情報４１が印刷されている。広告情報４１は、第一実施形態で説明した広告情報２１と同様である。広告情報４１には、エアゾール缶１０に印刷されている製品表示情報１１と同じ情報（すなわち、商品名、製品の特長、成分、効能、使用方法、使用上の注意、製造者情報、製品識別情報など）が含まれていてもよい。
【００４７】
このように、第四実施形態では、小函４０に蚊の図柄、及び「蚊スプレー」の文字を含む広告情報４１が印刷されているため、製品の販売時においては、小函４０に印刷されている広告情報４１により消費者の注目を惹くことができるとともに、防除対象となる害虫を容易に確認することができる。購入後の製品の保管時においては、消費者は、好みや室内空間の雰囲気に応じて小函４０を除去することで、殺虫エアゾール製品１０３のデザインを選択することができる。その際、容器本体であるエアゾール缶１０には、害虫の図柄、及び害虫を示す文字情報が印刷されていないため、小函４０を除去したエアゾール缶１０を室内空間に置いたときに、消費者に防除対象の害虫を強く想起させることを防ぐことができる。また、製品表示情報１１はエアゾール缶１０側に印刷されているため、小函４０の除去とともに消失することがなく、常に表示された状態となっている。製品の使用時においては、消費者は小函４０を除去し、害虫の図柄、及び害虫を示す文字情報が印刷されていないエアゾール缶１０を取り扱うことになるため、消費者に防除対象の害虫を強く想起させることを防ぐことができる。
【００４８】
［第五実施形態］
図８は、本発明の第五実施形態に係る容器入り製品１０４の斜視図である。図９は、図８に示した容器入り製品１０４の側面の分解展開図である。第五実施形態では、容器入り製品１０４として、耐圧容器１０ａと噴射ボタン１０ｂとを備えた容器本体としてのエアゾール缶１０と、エアゾール缶１０の表面を被覆する包材としてのシール５０とを備えたゴキブリ用の殺虫エアゾール製品１０４を例示している。
【００４９】
〔容器本体〕
第五実施形態において、図８及び図９に示す容器本体としてのエアゾール缶１０は、第一実施形態で説明した図１及び図２に示すエアゾール缶１０と同様の構成を有する。従って、容器本体に関する詳細な説明は省略する。
【００５０】
〔シール〕
包材としてのシール５０は、樹脂、繊維、紙等を素材としたシート状基材の裏面に粘着剤が塗布されたものであり、図８に示すように、エアゾール缶１０の表面に貼り付けられることで、エアゾール缶１０を被覆する。図８及び９に示すシール５０は、エアゾール缶１０の一部を被覆するものであるが、エアゾール缶１０の全体を被覆するものであってもよい。粘着剤には、粘着力を抑えることで再剥離性を有するものが好適に用いられ、糊残りをほとんど生じさせることなくエアゾール缶１０からシール５０を容易に剥離させることができる。
【００５１】
第五実施形態では、害虫関連情報として防除対処の害虫を示す文字情報が用いられており、図９に示すように、シール５０には、「ゴキブリ」という文字を含む広告情報５１が印刷されている。広告情報５１は、第一実施形態で説明した広告情報２１と同様である。広告情報５１には、エアゾール缶１０に印刷されている製品表示情報１１と同じ情報（すなわち、商品名、製品の特長、成分、効能、使用方法、使用上の注意、製造者情報、製品識別情報など）が含まれていてもよい。本実施形態におけるシール５０は、耐圧容器１０ａの全体を被覆するものではなく、シール５０の高さがエアゾール缶１０の高さより小さく構成され、シール５０の幅Ｄ３がエアゾール缶１０の図柄等表示情報１２の幅Ｄ４と同程度の大きさに構成されている。シール５０の貼着位置は、シール５０が製品表示情報１１を被覆しない位置に設定されている。これにより、消費者は、シール５０が貼着された状態であっても、エアゾール缶１０側に印刷されている製品表示情報１１を視認することができる。シール５０の幅Ｄ３は、エアゾール缶１０の図柄等表示情報１２の幅Ｄ４よりも小さく構成することも可能である。シール５０の幅Ｄ３を、図柄等表示情報１２の幅Ｄ４より若干小さく構成すると、エアゾール缶１０をシール５０で被覆するときに多少の位置ずれが生じても、製品表示情報１１がシール５０によって被覆されることを防ぐことができるため、エアゾール缶１０側の製品表示情報１１を確実に視認することができる。
【００５２】
このように、第五実施形態では、エアゾール缶１０の正面に貼り付けられたシール５０に「ゴキブリ」という文字を含む広告情報５１が印刷されているため、製品の販売時においては、シール５０に印刷されている広告情報５１により消費者の注目を惹くことができるとともに、防除対象となる害虫を容易に確認することができる。購入後の製品の保管時においては、消費者は、好みや室内空間の雰囲気に応じてシール５０を除去することで、殺虫エアゾール製品１０４のデザインを選択することができる。その際、容器本体であるエアゾール缶１０には、正面に「ゴキブリ」という文字が広告情報５１のように大きく印刷されていないため、シール５０を除去したエアゾール缶１０を室内空間に置いたときに、消費者に防除対象の害虫を強く想起させることを防ぐことができる。また、製品表示情報１１はエアゾール缶１０側に印刷されているため、シール５０の除去とともに消失することがなく、常に表示された状態となっている。製品の使用時においては、消費者はシール５０を除去し、「ゴキブリ」という文字が正面に大きく印刷されていないエアゾール缶１０を取り扱うことになるため、消費者に防除対象の害虫を強く想起させることを防ぐことができる。
【００５３】
＜構成例＞
次に、本発明の容器入り製品の構成例を説明する。なお、これらの構成例は、図１及び図２に示した第一実施形態に係る容器入り製品（殺虫エアゾール製品）１００の構成に基づくものであるが、図３及び図４に示した第二実施形態に係る容器入り製品１０１、図５及び図６に示した第三実施形態に係る容器入り製品１０２、図７に示した第四実施形態に係る容器入り製品１０３、並びに図８及び図９に示した第五実施形態に係る容器入り製品１０４においても同様の構成を採用することができる。また、製品形態については、本明細書で説明するエアゾール製品の他に、スプレー製品、ボトル製品、缶製品などの他の製品にも適用可能である。
【００５４】
〔構成例１〕
図１０は、構成例１に係る殺虫エアゾール製品の側面の分解展開図である。構成例１では、包材であるフィルム２０に印刷されている広告情報２１には、害虫関連情報であるゴキブリの図柄、及び「ゴキブリスプレー」の文字、並びに商品名及び製造者情報が含まれている。一方、容器本体であるエアゾール缶１０に印刷されている図柄等表示情報１２には、ゴキブリの図柄が含まれておらず、代わりにジグザグ状の幾何学模様の図柄と、フィルム２０に印刷されている広告情報２１に含まれる文字と同様の文字（商品名「ゴキブリスプレー」、製造者情報）とが含まれている。ここで、図柄等表示情報１２に含まれる文字は、広告情報２１に含まれる文字よりも小さく構成されている。このような構成のため、構成例１では、エアゾール缶１０からフィルム２０を剥離した場合、図柄等表示情報１２に含まれる文字があまり目立たず、殺虫エアゾール製品のデザイン性を損なうことがない。従って、消費者は、好みや室内空間の雰囲気に応じてフィルム２０を剥離することで、製品表示情報が表示された状態のまま、調和した環境で殺虫エアゾール製品を使用することができる。その際、容器本体であるエアゾール缶１０には、ゴキブリの図柄が印刷されておらず、且つ「ゴキブリスプレー」の文字は目立たないため、消費者に防除対象の害虫を強く想起させることを防ぐことができる。
【００５５】
〔構成例２〕
図１１は、構成例２に係る殺虫エアゾール製品の側面の分解展開図である。構成例２では、包材であるフィルム２０に印刷されている広告情報２１には、害虫関連情報であるゴキブリの図柄、及び商品名「ゴキブリスプレー」の文字、並びに製造者情報が含まれている。一方、容器本体であるエアゾール缶１０に印刷されている図柄等表示情報１２には、ゴキブリの図柄や文字は含まれておらず、代わりにストライプ柄の落ち着いた模様が含まれている。構成例２では、エアゾール缶１０からフィルム２０を剥離すると、広告情報２１に含まれるゴキブリの図柄が消失するとともに、図柄等表示情報１２に含まれるストライプ柄が出現することで、落ち着いた雰囲気を醸し出すことができる。従って、消費者は、製品表示情報が表示された状態のまま、好みや室内空間の雰囲気に応じてフィルム２０を剥離し、調和した環境で殺虫エアゾール製品を使用することができる。その際、容器本体であるエアゾール缶１０には、ゴキブリの図柄や文字が印刷されていないため、消費者に防除対象の害虫を強く想起させることを防ぐことができる。
【００５６】
〔構成例３〕
図１２は、構成例３に係る殺虫エアゾール製品の側面の分解展開図である。構成例３では、フィルム２０に印刷されている広告情報２１には、害虫関連情報であるゴキブリの図柄、及び商品名「ゴキブリスプレー」の文字、並びに製造者情報が含まれている。一方、エアゾール缶１０に印刷されている図柄等表示情報１２には、ゴキブリの図柄及び水玉柄の模様が含まれている。ただし、図柄等表示情報１２に含まれるゴキブリの図柄は、広告情報２１に含まれるゴキブリの図柄よりも視認性を抑えたるために、広告情報２１に含まれるゴキブリの図柄よりも小さいサイズに構成されている。このような構成のため、構成例３では、エアゾール缶１０からフィルム２０を剥離すると、広告情報２１に含まれるゴキブリの図柄が消失するとともに、図柄等表示情報１２に含まれるゴキブリの図柄及び水玉柄が出現することになる。ここで、図柄等表示情報１２に含まれるゴキブリの図柄は、十分に小さく周囲の水玉柄と調和したものとなっている。図柄等表示情報１２に含まれるゴキブリの図柄のサイズは、広告情報２１に含まれるゴキブリの図柄に対して面積比で２５％以下であることが好ましい。図柄等表示情報１２に含まれるゴキブリの図柄のサイズが上述の範囲にあれば、エアゾール缶１０に印刷されたゴキブリの図柄の視認性が抑えられ、エアゾール缶１０を室内空間に置いたときに、消費者に防除対象の害虫を強く想起させることを防ぐことができる。このため、消費者はゴキブリの図柄に嫌悪感を抱くことなく、デザインとして受け入れ易いものとなる。従って、消費者は、製品表示情報が表示された状態のまま、好みや室内空間の雰囲気に応じてフィルム２０を剥離し、調和した環境で殺虫エアゾール製品を使用することができる。なお、エアゾール缶１０に印刷されている図柄等表示情報１２に含まれるゴキブリの図柄は、広告情報２１に含まれるゴキブリの図柄よりも視認性を抑えたものであればよく、例えば、図柄等表示情報１２に含まれるゴキブリの図柄として、広告情報２１に含まれる害虫の図柄より明度及び／又は彩度が小さい色調のゴキブリの図柄を用いてもよい。また、害虫関連情報として害虫を示す文字情報を用いる場合にも、害虫の図柄を用いる場合と同様に、図柄等表示情報１２に含まれる害虫を示す文字情報は、広告情報２１に含まれる害虫を示す文字情報よりも小さいサイズのものや、明度及び／又は彩度が小さい色調のものを用いることで、視認性を抑えることが可能である。
【００５７】
＜拡張現実表示システム＞
本発明に係る容器入り製品は、購入後の製品の保管時に、包材を除去して容器本体を室内空間に置くことで、消費者に防除対象の害虫を強く想起させることを防ぐことができるが、その一方で、容器本体に害虫関連情報を印刷していない、又は包材における害虫関連情報より視認性を抑えた害虫関連情報を印刷しているために、容器本体のデザインから防除対象の害虫を容易に確認することができるものではない。しかしながら、購入後の製品の保管時には、防除対象の害虫が異なる複数の容器入り製品が並べて保管されることも多く、このような場面では、包材を除去した容器本体においても、防除対象の害虫が容易に確認できることが求められる。本発明に係る拡張現実表示システムは、容器本体を撮影した画像に、包材に印刷されている害虫関連情報を合成して提示することで、容器入り製品の防除対象の確認を支援するものである。なお、拡張現実表示システムにおいては、害虫関連情報として、害虫の図柄、及び／又は害虫を示す文字情報を含むものを用いることが可能であるが、以下では、害虫の図柄、及び害虫を示す文字情報を、害虫関連情報として用いたシステムについて説明する。
【００５８】
図１３は、本発明に係る拡張現実表示システム３００の説明図である。図１３（ａ）は、拡張現実表示システム３００の使用形態を示す図であり、図１３（ｂ）は、拡張現実表示システム３００の構成図である。図１４は、拡張現実表示システム３００における画像生成の説明図である。拡張現実表示システム３００は、マーカー型のビジョンベース拡張現実技術を利用して、図１３（ａ）に示すように、例えば、スマートフォン、携帯電話機、タブレット端末などの端末２００において、包材が除去された容器入り製品の容器本体１０Ｘ、１０Ｙを撮影し、撮影した画像に付加情報を合成した拡張現実表示を行うものである。
【００５９】
拡張現実表示システム３００は、図１３（ｂ）に示すように、取得手段３０１、抽出手段３０２、選択手段３０３、格納手段３０４、合成手段３０５、及び表示手段３０６を備える。これらの機能手段は、拡張現実表示用プログラムが端末２００のＣＰＵに実行されることにより、ソフトウエアとハードウエア資源とが協働した具体的手段によって実現される。
【００６０】
以下、図１４を参照して、拡張現実表示システム３００における画像生成について説明する。
【００６１】
格納手段３０４には、容器入り製品の種類毎に、包材に印刷されている広告情報の画像と、容器本体に印刷されている図柄等表示情報の画像とが対応付けて記録されている。拡張現実表示システム３００において、広告情報は、拡張現実表示により提示される付加情報として用いられ、図柄等表示情報は、その全体が、付加情報の提示位置を指定する拡張現実表示用マーカーとして用いられる。
【００６２】
取得手段３０１は、ユーザーの操作に応じて、端末２００のカメラにより撮影された撮影画像４０１を取得する。図１４（ａ）に示す例では、撮影画像４０１は、図柄等表示情報１２Ｘが印刷された容器本体１０Ｘと、図柄等表示情報１２Ｙが印刷された容器本体１０Ｙとの２つの容器入り製品が並んだ画像である。
【００６３】
撮影画像４０１が撮影されると、抽出手段３０２は、格納手段３０４に記録されている図柄等表示情報の画像との比較により、撮影画像４０１から、容器本体に印刷された図柄等表示情報を抽出して、拡張現実表示用マーカー画像４０２生成する。図１４（ｂ）に示す例では、拡張現実表示用マーカー画像４０２は、容器本体１０Ｘに印刷されたジグザグ状の幾何学模様を含む図柄等表示情報１２Ｘと、容器本体１０Ｙに印刷されたストライプ柄の幾何学模様を含む図柄等表示情報１２Ｙとを抽出した画像である。
【００６４】
選択手段３０３は、拡張現実表示用マーカー画像４０２に含まれる図柄等表示情報を参照して、対応する広告情報画像を格納手段３０４から取得する。図１４（ｂ）に示す拡張現実表示用マーカー画像４０２を用いた場合、選択手段３０３は、拡張現実表示用マーカー画像４０２に含まれる図柄等表示情報１２Ｘ、１２Ｙの夫々に対応して、図１４（ｃ）に示すゴキブリの図柄、及び「ゴキブリスプレー」の文字を含む広告情報画像４０３、並びに図１４（ｄ）に示す蚊の図柄、及び「蚊スプレー」の文字を含む広告情報画像４０４を選択する。
【００６５】
合成手段３０５は、選択手段３０３により選択された広告情報画像を、撮影画像４０１に重畳させることで、拡張現実画像４０５を合成する。図１４に示す例では、広告情報画像４０３、４０４を、拡張現実表示用マーカー画像４０２における図柄等表示情報１２Ｘ、１２Ｙの形状及びサイズに合わせて変形させた後に、撮影画像４０１の図柄等表示情報１２Ｘ、１２Ｙの座標に重畳させることで、図１４（ｅ）に示す拡張現実画像４０５を合成している。
【００６６】
表示手段３０６は、合成手段３０５により生成された拡張現実画像４０５を、端末２００の画面に表示する。消費者は、好みや室内空間の雰囲気に応じて包材を除去し、害虫の図柄、及び害虫を示す文字情報が印刷されていない容器本体１０Ｘ、１０Ｙを室内空間に置いている場合、端末２００の画面に表示された拡張現実画像４０５において、容器本体１０Ｘ、１０Ｙに合成された害虫の図柄、及び害虫を示す文字情報を含む広告情報画像４０３、４０４を見ることによって、夫々の製品が防除対象とする害虫を容易に確認することができる。また、図１４に示す例では、拡張現実表示用マーカーとなる図柄等表示情報を、拡張現実表示による付加情報の提示の指示のみではなく、付加情報の提示位置の指定にも用いることで、容器本体における図柄等表示情報の印刷位置に、付加情報となる広告情報を重畳して提示している。そのため、図１４のように複数の容器入り製品の容器本体を並べて保管している場合に、これらの製品を一度に撮影して拡張現実表示を行っても、夫々の製品が防除対象とする害虫を、混同することなく確認することができる。
【００６７】
なお、図１４に示す例では、付加情報の提示位置を明確に指定するために、図柄等表示情報１２Ｘ、１２Ｙの全体を拡張現実表示用マーカーとして用いているが、拡張現実表示用マーカーは、単に拡張現実表示による付加情報の提示を指示するものであればよく、本発明の拡張現実表示システム３００は、図柄等表示情報の一部、例えば、図柄等表示情報１２Ｘに含まれるジグザグ状の幾何学模様における折れ角、及び図柄等表示情報１２Ｙにおけるストライプ柄の幾何学模様におけるピッチを、拡張現実表示用マーカーとして用いるように構成することも可能である。また、図柄等表示情報の一部に、正方形の黒枠で囲まれたパターン化図形などを含むように容器入り製品を構成し、容器本体に印刷されたパターン化図形を拡張現実表示用マーカーとして用いることも可能である。このようなパターン化図形は、点対称図形を避けることで、拡張現実表示用マーカーからの距離、方向等により付加情報の提示位置を指定することも可能である。
【００６８】
また、図１４に示す例では、拡張現実画像４０５において、包材に印刷されている広告情報の全体像である広告情報画像４０３、４０４を容器本体１０Ｘ、１０Ｙに合成しているが、本発明の拡張現実表示システム３００は、拡張現実画像４０５において、広告情報に含まれる害虫の図柄、及び害虫を示す文字情報からなる害虫関連情報のみの画像を容器本体１０Ｘ、１０Ｙに合成するように構成することも可能である。
【００６９】
また、拡張現実表示システム３００において、抽出手段３０２、選択手段３０３、格納手段３０４、及び合成手段３０５は、その一部または全部を、電話回線、インターネットなどのネットワークを介して端末２００と通信可能な機器において実現するように構成することも可能である。
【００７０】
＜別実施形態＞
本発明の容器入り製品は、販売時においては包材に印刷されている防除対象の害虫の図柄、害虫を示す文字情報等を含む害虫関連情報により防除対象の害虫を容易に確認することができ、室内での製品の保管時においては、消費者の好みや室内空間の雰囲気に応じて包材を除去することで、防除対象の害虫を強く想起させることを防ぐことができるという本発明の趣旨を逸脱しない限り、様々な改変が可能である。以下、そのような改変例を別実施形態として説明する。
【００７１】
〔別実施形態１〕
容器入り製品１００において、フィルム２０の透過領域２２は、透明ないし半透明に構成することで製品表示情報１１を視認可能とするものであるが、製品表示情報１１の視認性を妨げない程度であれば文字や図柄が印刷されていてもよい。例えば、透過領域２２に製品のロット番号を小さく印字しておけば、透過領域２２から視認できる製品表示情報１１には製造者情報が含まれているため、製造者への問い合わせが容易なものとなる。
【００７２】
〔別実施形態２〕
容器入り製品１００において、フィルム２０の透過領域２２には、肉眼では見えないが赤外線等で読み取り可能な文字や図柄等の情報を印刷しておくことも可能である。この場合、製品の出荷前の検査等に当該情報を利用することができる。
【００７３】
〔別実施形態３〕
容器入り製品１００において、フィルム２０の透過領域２２は、当該フィルム２０の一部を取り除いたものであってもよい。すなわち、容器本体１０の製品表示情報１１が露出した状態とすることも可能である。この場合、消費者は製品表示情報１１を確実に視認することができる。また、フィルム２０が取り除かれた部分に僅かな段差が生じるため、この段差に爪を掛けてフィルム２０を取り外し易くなる。
【００７４】
〔別実施形態４〕
容器入り製品１００〜１０２において、フィルム２０の広告情報２１は、容器本体１０の図柄等表示情報１２と重なった状態で当該図柄等表示情報１２と合わせて広告機能を発揮するように構成することも可能である。例えば、容器入り製品１００がハチ用の殺虫エアゾールである場合、図柄等表示情報１２が花柄を含み、広告情報２１を透明な領域の中にハチの図柄を印刷したものとすれば、容器本体１０がフィルム２０で被覆されている状態ではハチが花畑を飛び回っているかのようなイラストとなって消費者の注目を惹くこととなり、容器本体１０からフィルム２０を剥離すると花柄のみとなって落ち着いた雰囲気を醸し出すことができる。
【産業上の利用可能性】
【００７５】
本発明は、容器に害虫防除製剤を封入したエアゾール製品、スプレー製品、ボトル製品、缶製品などの容器入り製品に利用可能である。
【符号の説明】
【００７６】
１０      エアゾール缶（容器本体）
１０Ｘ    エアゾール缶（容器本体）
１０Ｙ    エアゾール缶（容器本体）
１１      製品表示情報
１２      図柄等表示情報（拡張現実表示用マーカー）
１２Ｘ    図柄等表示情報（拡張現実表示用マーカー）
１２Ｙ    図柄等表示情報（拡張現実表示用マーカー）
２０      フィルム（包材）
２１      広告情報
２３      製品表示情報
３０      ブリスターパック（包材）
３３      広告情報
４０      小函（包材）
４１      広告情報
５０      シール（包材）
５１      広告情報
１００    殺虫エアゾール製品（第一実施形態に係る容器入り製品）
１０１    殺虫エアゾール製品（第二実施形態に係る容器入り製品）
１０２    殺虫エアゾール製品（第三実施形態に係る容器入り製品）
１０３    殺虫エアゾール製品（第四実施形態に係る容器入り製品）
１０４    殺虫エアゾール製品（第五実施形態に係る容器入り製品）
３００    拡張現実表示システム
３０１    取得手段
３０２    抽出手段
３０４    格納手段
３０５    合成手段
３０６    表示手段
４０１    撮影画像
４０５    合成画像
【図１】
2020075760.tif 000003
【図２】
2020075760.tif 000004
【図３】
2020075760.tif 000005
【図４】
2020075760.tif 000006
【図５】
2020075760.tif 000007
【図６】
2020075760.tif 000008
【図７】
2020075760.tif 000009
【図８】
2020075760.tif 000010
【図９】
2020075760.tif 000011
【図１０】
2020075760.tif 000012
【図１１】
2020075760.tif 000013
【図１２】
2020075760.tif 000014
【図１３】
2020075760.tif 000015
【図１４】
2020075760.tif 000016